(57)【要約】      （修正有）【課題】細かな操作に便利で、血液及び電気メスの排煙の吸引効果が高い医療用電気メス工具補助装置を提供する。【解決手段】電気メス工具補助装置１は、吸引管２、中空カニューレ３、管コネクター４、嵌合クリップ５を備え、吸引管２の一端には中空カニューレ３を設置し、反対端には管コネクター４を設置し、中空カニューレ３と管コネクター４との間には、位置を調整可能な少なくとも１個の嵌合クリップ５を設置し、こうして、電気メス工具補助装置１には様々なタイプの電気メス工具７を設置可能となり、吸引管２と最適な吸引位置を保持することができ、１００％に近い血液及び電気メスの排煙を吸引することができるため、手術中に手術箇所が覆われることはない。【選択図】図２
0003152014.tif 000002
【実用新案登録請求の範囲】
【請求項１】
吸引管、中空カニューレ、管コネクター、嵌合クリップを備え、
前記吸引管の一端には、前記中空カニューレを設置し、前記中空カニューレは、嵌合部を備え、反対端には、前記管コネクターを設置し、前記中空カニューレと前記管コネクターとの間には、少なくとも１個の前記嵌合クリップを設置し、前記嵌合クリップは、定位調整部と挟持部を備え、
こうして、前記電気メス工具補助装置は、様々なタイプの電気メス工具を設置可能となり、前記吸引管と最適な吸引位置を保持することができ、100%に近い血液及び電気メスの排煙を吸引することができるため、手術中に手術箇所が覆われることはないことを特徴とする医療用電気メス工具補助装置。
【請求項２】
前記吸引管は、外科専用のチューブであることを特徴とする請求項１に記載の医療用電気メス工具補助装置。
【請求項３】
前記中空カニューレの嵌合部は、電気メス工具に対応し錐状、或いは直立状を呈し、人が握るために適した形状であることを特徴とする請求項２に記載の医療用電気メス工具補助装置。
【請求項４】
前記中空カニューレと前記吸引管とは、一体に設置することを特徴とする請求項３に記載の医療用電気メス工具補助装置。
【請求項５】
前記電気メス工具と前記吸引管とは、最適な吸引位置を保持し、すなわち前記中空カニューレの錐状嵌合部の端部と前記吸引管の端部との距離は、1-5mmの範囲を保持し、前記吸引管端部を電気メスの下方に保持することができるため、電気メスの邪魔になることはなく、こうして、前記嵌合部上に設置する電気メス工具の電気メスは、適当な長さの露出を行なえるため、手術の進行に有利であることを特徴とする請求項３に記載の医療用電気メス工具補助装置。
【請求項６】
前記嵌合クリップの定位調整部は、嵌合リングで、前記嵌合リングの内径は、前記吸引管の外径に等しく、前記嵌合クリップの挟持部は、Ｃ型体で、挟持に用いられることを特徴とする請求項１に記載の医療用電気メス工具補助装置。
【請求項７】
前記嵌合クリップは４個を設置し、前記中空カニューレに近い嵌合クリップの挟持部はより大きく、電気メス工具の挟持に用い、他部分の嵌合クリップの挟持部は小さく、手術時に邪魔にならないよう、電気メス工具の電線を挟持することを特徴とする請求項６に記載の医療用電気メス工具補助装置。
【考案の詳細な説明】
【技術分野】
【０００１】
本考案は補助装置に関し、特に手術用の電気工具を設置することができ、位置調整機能を備え、しかも人体工学に合致した握りを提供可能な医療用電気メス工具補助装置に関する。
【背景技術】
【０００２】
科学技術の進歩に従い、外科手術においても、新技術の開発が続いている。伝統的な手術は時間が長く、術中の出血も多いため、手術の進行に影響を及ぼすことがあったが、電気メス技術の登場により、それが大幅に改善された。電気メス技術の長所は、手術中に同時に止血も行なえることで、各種の外科手術に広く応用されている。
【０００３】
従来の電気メス技術に採用される手術設備には、電気メス、手術用の電気メス工具、及び電気メス工具の固定に用いる補助装置があるが、本考案は補助装置に関するものである。従来の補助装置の構造は、図１に示す。図に示すように、補助装置６は、組接管６１、吸引管６２、及び該組接管６１上に固定する嵌合リング６３１、６３２、及び該組接管６１と該吸引管６２末端に設置する管コネクター６４を備える。該組接管６１は、電気メス工具の定位とサポートに用いる。該吸引管６２と該組接管６１とは、並べて一体に設置し、手術中の血液と電気メスが発生する煙を流出させるルートを提供する。該嵌合リング６３１、６３２は、該組接管６１の相対する両端の側縁にそれぞれ設置し、電気メスを設置して定位する。該管コネクター６４は、外科用チューブと接続することができる。
【０００４】
しかし、従来の補助装置には、実際の手術中に以下のような使用上の瑕疵があり、理想的とは言えない。
１.細かな操作に不便：該電気メス工具７は、それ自体にかなりの厚みがあるが、組接管６１と吸引管６２の厚みを加えた全体的な厚みは、人の手で握るには人体工学上不適当である。さらに、三者を一体に組み合わせた後の不規則な形態は、手術において繊細な操作を自由自在に行うには適していないため、操作の関係では、視覚に影響が及ぶ角度も存在する。
２.血液及び電気メスの排煙の吸引効果が不良：該嵌合リング６３１、６３２は、該組接管６１の外側の両端に固定するため、異なる手術用電気メス工具の設置、固定に使用することはできない。すなわち、図１に示す電気メス工具７を該組接管６１に設置後は、電気メス工具７前端の電気メス７０は、吸引管６２と適当な位置及び角度を保持することができず、電気メス７０がしばしば吸引管６２に接近し過ぎるために、血液及び電気メスの排煙を効果的に吸引することができない。これにより、手術箇所が血液及び電気メスの排煙により覆われてしまう。
本考案は、従来の医療用電気メス工具補助装置の上記した欠点に鑑みてなされたものである。
【考案の概要】
【考案が解決しようとする課題】
【０００５】
本考案が解決しようとする課題は、人体工学に合致した握りを提供可能で、組み合わせる電気メス工具を適当な位置に調整することができ、これにより電気メス工具上の電気メスは吸引管と最適な吸引位置を保持し、ほぼ100%の血液及び電気メスの排煙を吸い取ることができるため、手術箇所が覆われることはない医療用電気メス工具補助装置を提供することである。
【課題を解決するための手段】
【０００６】
上記課題を解決するため、本考案は下記の医療用電気メス工具補助装置を提供する。
電気メス工具補助装置は、吸引管、中空カニューレ、管コネクター、嵌合クリップを備え、
該吸引管の一端には該中空カニューレを設置し、反対端には該管コネクターを設置し、該中空カニューレと該管コネクターとの間には、位置を調整可能な少なくとも１個の該嵌合クリップを設置し、
こうして、電気メス工具補助装置には様々なタイプの電気メス工具を設置可能となり、該吸引管と最適な吸引位置を保持することができ、100%に近い血液及び電気メスの排煙を吸引することができるため、手術中に手術箇所が覆われることはない。
【考案の効果】
【０００７】
本考案は、位置調整機能を備え、しかも人体工学に合致した握りを提供することができる。
【図面の簡単な説明】
【０００８】
【図１】従来の医療用電気メス工具補助装置の立体図である。
【図２】本考案医療用電気メス工具補助装置の立体図である。
【図３】本考案医療用電気メス工具補助装置に電気メス工具を設置する状態を示す立体図である。
【考案を実施するための形態】
【０００９】
以下に図面を参照しながら本考案を実施するための最良の形態について詳細に説明する。
【実施例】
【００１０】
図２に示すように、本考案電気メス工具補助装置１は、吸引管２、中空カニューレ３、管コネクター４、嵌合クリップ５を備える。吸引管２は、外科専用のチューブで、一端には中空カニューレ３を設置する。中空カニューレ３は、吸引管２上に一体に固定し、嵌合部３１を備える。嵌合部３１は、電気メス工具に対応し錐状、或いは直立状を呈し、本実施例では、錐状であるが、その形状は、人体工学に基づき、人が握るために適した形状である。吸引管２の反対端には、管コネクター４を設置し、他の管体の接続に用いる。中空カニューレ３と管コネクター４との間には、複数の嵌合クリップ５を設置し、各嵌合クリップ５は、定位調整部５０と挟持部５１を備える。定位調整部５０は、嵌合リングで、その内径は、吸引管２の外径に等しく、吸引管２上に緊密に定位し、或いは位置を移すことができる。挟持部５１は、Ｃ型体で、中空カニューレ３に近い嵌合クリップ５の挟持部５１はより大きく、電気メス工具７の挟持に用い、他の部分の嵌合クリップ５の挟持部５１は小さく、手術時に邪魔にならないよう、電気メス工具７の電線３２を挟持する。
【００１１】
次に図３に示すように、本考案の各嵌合クリップ５は、それぞれ位置を調整することができる。そのため、どのような電気メス工具を設置しても、電機メス工具７と吸引管２は、最適な吸引位置を保持することができる。すなわち、中空カニューレ３の錐状嵌合部３１の端部と、吸引管２端部との距離は、１-５mmの範囲を保持し、吸引管２端部を電気メス７０の下方に保持することができるため、電気メス７０の邪魔になることはない。こうして、嵌合部３１上に設置する電気メス工具７の電気メス７０は、適当な長さの露出を行なえるため、手術の進行に有利で、さらに、100%に近い血液及び電気メスの排煙を吸引することができるため、手術箇所が覆われることはない。
【００１２】
本考案医療用電気メス工具補助装置１は、各嵌合クリップ５がそれぞれ位置を調整可能であるため、どのようなタイプの電気メス工具７を設置しようとも、その電気メス７０と吸引管２端部とは、最適な位置を保持され、手術箇所が血液及び電気メスの排煙で覆われることはない。さらに、本考案の中空カニューレ３は、電気メス工具７と適当に組み合わされ、人体工学に基づく適切な握りを提供することができるため、手術中の操作に有利である。
【符号の説明】
【００１３】
１  電気メス工具補助装置
２  吸引管
３  中空カニューレ
３１  嵌合部
３２  電線
４  管コネクター
５  嵌合クリップ
５０  定位調整部
５１  挟持部
７  電気メス工具
７０  電気メス
【図１】
0003152014.tif 000003
【図２】
0003152014.tif 000004
【図３】
0003152014.tif 000005
【手続補正書】
【提出日】平成21年5月7日(2009.5.7)
【手続補正１】
【補正対象書類名】実用新案登録請求の範囲
【補正対象項目名】請求項１
【補正方法】変更
【補正の内容】
【請求項１】
吸引管、中空カニューレ、管コネクター、嵌合クリップを備え、
前記吸引管の一端には、前記中空カニューレを設置し、前記中空カニューレは、嵌合部を備え、反対端には、前記管コネクターを設置し、前記中空カニューレと前記管コネクターとの間には、少なくとも１個の前記嵌合クリップを設置し、前記嵌合クリップは、定位調整部と挟持部を備え、
こうして、電気メス工具補助装置は、様々なタイプの電気メス工具を設置可能となり、前記吸引管と最適な吸引位置を保持することができ、100%に近い血液及び電気メスの排煙を吸引することができるため、手術中に手術箇所が覆われることはないことを特徴とする医療用電気メス工具補助装置。